(57)【要約】【課題】遠隔通信会議における会議録を提供するに際し、会議録を必要とする者の所望する条件によって要点がまとめられた会議録を提供する。【解決手段】少なくとも２以上の各地点からの音声情報と、当該音声情報が入力された時刻情報とともに蓄積する音声蓄積手段から、音声情報を音声認識してテキスト情報に変換する過程と、話題キーワードを蓄積する話題キーワード蓄積手段からの話題キーワードの少なくとも１つ又はその類義語をテキスト情報が含む時刻情報を判定し、当該時刻情報と話題キーワードとを対応付けて記録手段に記録する過程と、入力された検索要求情報のうち記録手段に話題キーワード又はその類義語が記録されている時刻情報を判定する過程と、当該判定された時刻情報又は当該時刻情報を含む所定の時刻区間に対応する音声情報を音声蓄積手段から出力する過程と、を有する。【選択図】      図３
2004279897.tif 000002
【特許請求の範囲】
【請求項１】
少なくとも２以上の各地点からの音声情報と、当該音声情報が入力された時刻情報とともに蓄積する音声蓄積手段から、前記音声情報を音声認識してテキスト情報に変換する過程と、
話題キーワードを蓄積する話題キーワード蓄積手段からの話題キーワードの少なくとも１つ又はその類義語を前記テキスト情報が含む時刻情報を判定し、当該時刻情報と話題キーワードとを対応付けて記録手段に記録する過程と、
入力された検索要求情報のうち前記記録手段に話題キーワード又はその類義語が記録されている時刻情報を判定する過程と、
当該判定された時刻情報又は当該時刻情報を含む所定の時刻区間に対応する音声情報を前記音声蓄積手段から出力する過程と、を有する音声通信記録生成方法。
【請求項２】
前記音声情報の発話区間及び無音区間を検出する過程を有する請求項１に記載の音声通信記録生成方法。
【請求項３】
前記話題キーワードに対する類義語を予め蓄積した類義語蓄積手段を更に用いて類義語を検索し、前記話題キーワードと共に前記進行位置を前記テキスト情報にマーク付けする請求項１又は２に記載の音声通信記録生成方法。
【請求項４】
前記音声情報に会議特定情報が付与されており、前記音声情報に他の情報が紐付けられていることを特徴とする請求項１から３のいずれか１項に記載の音声通信記録生成方法。
【請求項５】
少なくとも２以上の各地点からの音声情報と、当該音声情報が入力された時刻情報とともに蓄積する音声蓄積手段から、前記音声情報を音声認識してテキスト情報に変換する手段と、
話題キーワードを蓄積する話題キーワード蓄積手段からの話題キーワードの少なくとも１つ又はその類義語を前記テキスト情報が含む時刻情報を判定し、当該時刻情報と話題キーワードとを対応付けて記録手段に記録する手段と、
入力された検索要求情報のうち前記記録手段に話題キーワード又はその類義語が記録されている時刻情報を判定する手段と、
当該判定された時刻情報又は当該時刻情報を含む所定の時刻区間に対応する音声情報を前記音声蓄積手段から出力する手段と、を有する音声通信記録生成装置。
【請求項６】
前記音声情報の発話区間及び無音区間を検出する手段を有する請求項５に記載の音声通信記録生成装置。
【請求項７】
前記話題キーワードに対する類義語を予め蓄積した類義語蓄積手段を更に用いて類義語を検索し、前記話題キーワードと共に前記進行位置を前記テキスト情報にマーク付けする請求項５又は６に記載の音声通信記録生成装置。
【請求項８】
前記音声情報に会議特定情報が付与されており、前記音声情報に他の情報が紐付けられていることを特徴とする請求項５から７のいずれか１項に記載の音声通信記録生成装置。
【請求項９】
少なくとも２以上の各地点からの音声情報と、当該音声情報が入力された時刻情報とともに蓄積する音声蓄積手段から、前記音声情報を音声認識してテキスト情報に変換する過程と、
話題キーワードを蓄積する話題キーワード蓄積手段からの話題キーワードの少なくとも１つ又はその類義語を前記テキスト情報が含む時刻情報を判定し、当該時刻情報と話題キーワードとを対応付けて記録手段に記録する過程と、
入力された検索要求情報のうち前記記録手段に話題キーワード又はその類義語が記録されている時刻情報を判定する過程と、
当該判定された時刻情報又は当該時刻情報を含む所定の時刻区間に対応する音声情報を前記音声蓄積手段から出力する過程としてコンピュータを実行させる音声通信記録生成プログラム。
【請求項１０】
前記音声情報の発話区間及び無音区間を検出する過程を有するようにコンピュータを実行させる請求項９に記載の音声通信記録生成プログラム。
【請求項１１】
前記話題キーワードに対する類義語を予め蓄積した類義語蓄積手段を更に用いて類義語を検索し、前記話題キーワードと共に前記進行位置を前記テキスト情報にマーク付けするようにコンピュータを実行させる請求項９又は１０に記載の音声通信記録生成プログラム。
【請求項１２】
前記音声情報に会議特定情報が付与されており、前記音声情報に他の情報が紐付けられているようにコンピュータを実行させることを特徴とする請求項９から１１のいずれか１項に記載の音声通信記録生成プログラム。
【発明の詳細な説明】
【０００１】
【発明の属する技術分野】
本発明は、音声通信記録生成方法、装置及びプログラムに関する。特に、インターネットを利用した遠隔通信会議において、取得された音声情報等の内容を、利用者が容易に検索できる記録を作成するものに関する。
【０００２】
【従来の技術】
従来、音声又は画像等のマルチメディア情報を用いた会議システムにおいて、会議中の重要な項目を短時間で簡便に編集できる装置があった（例えば、特許文献１参照）。
【０００３】
この装置は、会議によって得られたマルチメディア情報の時間関係を解析し、発話者を識別し、マルチメディア情報からキーワードを抽出する。特に、音声情報に対しては音声認識処理によりキーワードを抽出する。また、発話者の識別は、音声情報が入力された装置識別番号及び特徴抽出処理によって行う。更に、この装置は、そのキーワード及びその発話者等に重み付けすることにより、会議の重要度を時系列的に表す検索用ファイルを蓄積する。これら処理は、会議中にリアルタイムに行われる。これにより、会議途中に現れたキーワード、参照資料、資料参照者又は発話者、会議の時間帯等に基づいて、重要な項目を含むシーンを絞り込んでいくことが可能となり、会議録作成に要する時間が大幅に削減できる。
【０００４】
また、議事録作成を支援する仕組みとしては、複数の発話者の音声情報が混在している混在データを、発話者毎の音声情報に分離し、発話者を特定して音声議事録を作成する方法もあった（例えば、特許文献２参照）。
【０００５】
更に、音声や映像のみならず、グラフィック情報をも記録し、要求に応じて要点だけを送り出す、コンサルテーション・カンファレンスシステムも実現されている（例えば、特許文献３参照）。
【０００６】
【特許文献１】
特許第３１８５５０５号公報
【特許文献２】
特開２００３−５７９０号公報（特願２００１−１９１２８９号）
【特許文献３】
特開平５−２９８３４０号公報（特願平４−９６７８３号）
【０００７】
【発明が解決しようとする課題】
特許文献１によれば、会議録の作成は、会議録作成者による検索条件の入力により行うことを想定している。特に、所望するデータに到達できなかった場合、更なる検索条件の入力を会議録作成者に要求する。従って、会議録作成者による唯一の詳細な会議録を作成することはできる。しかし、会議参加者それぞれによって、所望される会議録の要点は異なる場合も多い。即ち、特許文献１によれば、それぞれの会議参加者に対して異なる会議録を提供することはできなかった。
【０００８】
尚、特許文献２によれば発話者特定に精度の障壁があり、特許文献３によればインデクッス機能がなく利便性に欠けるという難点もある。
【０００９】
即ち、従来の技術によれば、会議録作成者のみの便宜を図るものであり、会議録を必要とする者の所望条件によって要点がまとめられた会議録を提供するものではなかった。
【００１０】
そこで、本発明は、会議録を提供するに際し、会議録を必要とする者の所望条件によって要点がまとめられた会議録を提供することを目的とする。
【００１１】
【課題を解決するための手段】
本発明は、遠隔通信会議について、それぞれの参加者によって用いられる２以上の端末と、該会議における音声情報を記録し且つ会議録を生成する音声通信記録生成装置とを用いた音声通信記録生成方法、装置及プログラムに関する。
【００１２】
本発明による音声通信記録生成方法によれば、
少なくとも２以上の各地点からの音声情報と、当該音声情報が入力された時刻情報とともに蓄積する音声蓄積手段から、音声情報を音声認識してテキスト情報に変換する過程と、
話題キーワードを蓄積する話題キーワード蓄積手段からの話題キーワードの少なくとも１つ又はその類義語をテキスト情報が含む時刻情報を判定し、当該時刻情報と話題キーワードとを対応付けて記録手段に記録する過程と、
入力された検索要求情報のうち記録手段に話題キーワード又はその類義語が記録されている時刻情報を判定する過程と、
当該判定された時刻情報又は当該時刻情報を含む所定の時刻区間に対応する音声情報を音声蓄積手段から出力する過程と、を有する。
【００１３】
また、本発明の音声通信記録生成方法における他の実施形態によれば、音声情報の発話区間及び無音区間を検出する過程を有するものであってもよい。
【００１４】
更に、本発明の音声通信記録生成方法における他の実施形態によれば、話題キーワードに対する類義語を予め蓄積した類義語蓄積手段を更に用いて類義語を検索し、話題キーワードと共に進行位置をテキスト情報にマーク付けすることも好ましい。
【００１５】
更に、本発明の音声通信記録生成方法における他の実施形態によれば、音声情報に会議特定情報が付与されており、音声情報に他の情報が紐付けられていることも好ましい。
【００１６】
本発明の音声通信記録生成装置によれば、
少なくとも２以上の各地点からの音声情報と、当該音声情報が入力された時刻情報とともに蓄積する音声蓄積手段から、音声情報を音声認識してテキスト情報に変換する手段と、
話題キーワードを蓄積する話題キーワード蓄積手段からの話題キーワードの少なくとも１つ又はその類義語をテキスト情報が含む時刻情報を判定し、当該時刻情報と話題キーワードとを対応付けて記録手段に記録する手段と、
入力された検索要求情報のうち記録手段に話題キーワード又はその類義語が記録されている時刻情報を判定する手段と、
当該判定された時刻情報又は当該時刻情報を含む所定の時刻区間に対応する音声情報を音声蓄積手段から出力する手段と、を有する。
【００１７】
また、本発明の音声通信記録生成装置における他の実施形態によれば、音声情報の発話区間及び無音区間を検出する手段を有するものであってもよい。
【００１８】
更に、本発明の音声通信記録生成装置における他の実施形態によれば、話題キーワードに対する類義語を予め蓄積した類義語蓄積手段を更に用いて類義語を検索し、話題キーワードと共に進行位置をテキスト情報にマーク付けすることも好ましい。
【００１９】
更に、本発明の音声通信記録生成装置における他の実施形態によれば、音声情報に会議特定情報が付与されており、音声情報に他の情報が紐付けられているものであってもよい。
【００２０】
本発明の音声通信記録生成プログラムによれば、
少なくとも２以上の各地点からの音声情報と、当該音声情報が入力された時刻情報とともに蓄積する音声蓄積手段から、音声情報を音声認識してテキスト情報に変換する過程と、
話題キーワードを蓄積する話題キーワード蓄積手段からの話題キーワードの少なくとも１つ又はその類義語をテキスト情報が含む時刻情報を判定し、当該時刻情報と話題キーワードとを対応付けて記録手段に記録する過程と、
入力された検索要求情報のうち記録手段に話題キーワード又はその類義語が記録されている時刻情報を判定する過程と、
当該判定された時刻情報又は当該時刻情報を含む所定の時刻区間に対応する音声情報を音声蓄積手段から出力する過程としてコンピュータを実行させる。
【００２１】
また、本発明の音声通信記録生成プログラムにおける他の実施形態によれば、音声情報の発話区間及び無音区間を検出する過程を有するようにコンピュータを実行させるものであってもよい。
【００２２】
更に、本発明の音声通信記録生成プログラムにおける他の実施形態によれば、話題キーワードに対する類義語を予め蓄積した類義語蓄積手段を更に用いて類義語を検索し、話題キーワードと共に進行位置をテキスト情報にマーク付けするようにコンピュータを実行させることも好ましい。
【００２３】
更に、本発明の音声通信記録生成プログラムにおける他の実施形態によれば、音声情報に会議特定情報が付与されており、音声情報に他の情報が紐付けられているようにコンピュータを実行させることも好ましい。
【００２４】
【発明の実施の形態】
以下で、図面を用いて、本発明の実施の形態を説明する。
【００２５】
図１は、本発明におけるシステム構成図である。
【００２６】
図１によれば、本発明における音声通信記録サーバ１と、参加者の端末２、３及び４とが、インターネット５を介して接続されている。会議参加者は、それぞれの端末２、３及び４を用いて、インターネット５を介して遠隔通信会議を行うことができる。ここでは、参加者ＩＤｘｘｘ、ｙｙｙ及びｚｚｚの参加者が、遠隔通信会議に参加している。
【００２７】
端末２、３及び４それぞれには、音声情報を取得するマイク２１、３１及び４１と、映像情報を取得するビデオカメラ２２、３２及び４２とが備えられている。
【００２８】
会議における端末間での音声情報等の交換は、音声通信記録サーバ１を経由して配信されるものであってもよいし、音声通信記録サーバ１と会議参加者の端末とに同報的に配信されるものであってもよい。
【００２９】
また、音声情報等は、会議の開始から終了まで、各端末によって音声情報等がファイル形式で蓄積されるものであってもよい。この場合、一方では、会議終了後、端末２、３及び４それぞれによって記録された音声情報のファイルを、一度に、音声通信記録サーバ１へ送信する方法がある。他方では、会議中に、発言毎にファイル形式にした音声情報等を、逐次、音声通信記録サーバ１へ送信する方法もある。音声情報等が発言毎に区分されることにより、細かい検索条件に対応することが可能となる。このとき、各端末で無音区間を検出し、有音区間の音声情報のみを、音声通信記録サーバ１へ送信することも好ましい。
【００３０】
これに対し、音声情報等は、会議の開始から終了まで、各端末から音声通信記録サーバ１へストリーミング形式で送信されるものであってもよい。この場合、音声通信記録サーバ１において、発話者毎及び／又は発言毎等によって音声情報等が区分される。このとき、音声通信記録サーバ１において、無音区間を検出し、有音区間の音声情報のみを抽出することも好ましい。
【００３１】
尚、本発明は、会議終了後に会議内容の編集及び検索等を行うことを意図するものである。従って、実施形態においては、複数の端末による通信会議を想定しているが、１箇所の装置に音声情報等を集約して、計算機による処理を行うことも現実的である。
【００３２】
図２は、本発明における音声通信記録サーバ１の機能構成図である。
【００３３】
図２によれば、音声通信記録サーバ１は、音声情報データベース１０（音声蓄積手段）と、映像情報等データベース１１と、タイムスタンプ１２と、会議ＩＤ決定部１３と、音声認識処理部１４と、議事録情報データベース１５（記録手段）と、要点検索部１６と、会議録生成部１７と、類義語データベース１８と、通信インタフェース１９とを有する。
【００３４】
インターネット５には、通信インタフェース１９を介して接続される。
【００３５】
会議ＩＤ決定部１３は、その会議の「会議名」「参加者名」等を含む会議開始登録メッセージを受信し、それに対応する「会議ＩＤ」「参加者ＩＤ」（会議特定情報）を決定し、参加者の端末へ配信する。これらＩＤを、端末から受信する音声情報及び映像情報に付することができる。
【００３６】
タイムスタンプ部１２は、通信インタフェース１９によって受信された音声情報及び映像情報に時刻を付する。
【００３７】
受信された音声情報は、参加者ＩＤ毎に、音声情報データベース１０に蓄積される。また、映像情報は、参加者ＩＤ毎に、映像情報等データベース１１に蓄積される。ここで、音声情報と映像情報とは、タイムスタンプにより、時間で紐付けられている。尚、映像情報とは、参加者の用いる端末に備えられたビデオカメラから取得されたものに限られず、会議録で用いる文書資料データ又は投影資料データ等の、視覚的効果を有する資料データであってもよい。
【００３８】
また、音声情報データベース１０は、当該音声情報における発話区間と無音区間とを検出し、発話区間のみの音声情報を蓄積する。これを実現する方法としては、例えば、特許２５９０１９３号公報がある。
【００３９】
音声情報データベース１０に蓄積された音声情報は、次に、音声認識処理部１４において、テキスト情報に変換される。このとき、テキスト情報について会議の話題の進行位置を意味する「特徴語」を検索する。更に、その「特徴語」に相当する「話題キーワード」を検索する。そして、話題キーワードと共に進行位置をテキスト情報にマーク付けする。例えば、発言の開始と終了とのタイミングにマーク付けをする。議事録情報データベース１５には、「話題キーワード」と、その議題を導く「特徴語」とを含む文型データが記録される。
【００４０】
例えば、「特徴語」として「始めます」「お話します」「次は」が登録されている場合、以下のテキスト情報が得られたとする。
（１）現在の研究開発についての議論を「始めます」。
（２）「次は」、今後の研究開発について「お話します」。
（３）「次は」、研究費についての議論を「始めます」。
このとき、「特徴語」に相当する「話題キーワード」として、「現在の研究開発」「今後の研究開発」「研究費」が得られる。
【００４１】
音声認識処理部１４によって抽出された、マーク付きのテキスト情報は、議事録情報データベース１５に蓄積される。
【００４２】
端末は、音声通信記録サーバ１に対して、「話題キーワード」に基づく要点のみを記録した会議録を要求することができる。このとき、当該端末は、音声通信記録サーバ１に対して、「話題キーワード」を含む会議録要求メッセージを送信する。
【００４３】
要点検索部１６は、通信インタフェース１９によって受信された会議録要求メッセージを取得する。そして、要点検索部１６は、「話題キーワード」に基づいて、議事録情報データベース１５を検索する。例えば、要求された「話題キーワード」が「今後の研究開発」であれば、議事録情報データベース１５から、「今後の研究開発」に相当するマークを検索し、その開始及び終了等の進行位置の情報を得ることができる。
【００４４】
会議録要求メッセージには、会議録の要点の条件として、「話題キーワード」、「参加者ＩＤ（発話者毎）」及び「発話時刻」に限られず、「自由テキスト情報」又は「自由音声情報」であってもよい。「自由テキスト情報」とは、会議録要求者が取得したいと思う内容を記載した文章のテキスト情報をいう。音声通信記録サーバ１によって、そのテキスト情報から話題キーワード等を抽出することができる。また、「自由音声情報」とは、会議録要求者が取得したいと思う内容を録音した音声情報をいう。音声通信記録サーバ１によって、その音声情報を音声認識処理することでテキスト情報を抽出し、そのテキスト情報から話題キーワード等を抽出することができる。
【００４５】
要点検索部１６は、類義語データベース１８を参照することもできる。例えば、特徴語「始めます」は、「開始します」「開きます」「行います」と類義であるとする。これら情報が、類義語データベース１８に体系的に構成されて蓄積されている。従って、特徴語の類義語についても、要点検索部１６は、議事録情報データベース１５を検索することができる。もちろん、類義語データベース１８は、話題キーワードの類義語についても検索できることが好ましい。
【００４６】
会議録生成部１７は、要点検索部１６によって検索されたテキスト情報に基づいて、マーク位置及びその時刻情報に基づいて、音声情報データベース１０と、映像情報等データベース１１とを検索する。会議録生成部１７は、検索されたテキスト情報に付された時刻情報に相当する音声情報及び映像情報を取得する。そして、ＨＴＭＬ形式のＡＶ（Ａｕｄｉｏ  ａｎｄ  Ｖｉｓｕａｌ）会議録を生成し、その会議録を、会議録要求メッセージを送信した端末へ返送する。
【００４７】
これにより、会議録要求メッセージを送信した端末は、要求した「話題キーワード」に基づく会議録のみを受信することができ、その端末によって、その会議状況における音声及び映像を再生することができる。
【００４８】
図３は、本発明による音声通信記録サーバと端末との間のシーケンス図である。
【００４９】
図３によれば、以下のシーケンスで進行する。
（Ｓ３０）遠隔通信会議を開始する際に、ある端末が、会議開始登録メッセージを、音声通信記録サーバ１へ送信する。この会議開始登録メッセージには、これから始める会議の「会議名」「参加者名」「開始時刻」等が含まれている。音声通信記録サーバ１は、会議ＩＤ決定部１３によって、これら情報から会議ＩＤ及び参加者ＩＤを決定する。
（Ｓ３１）音声通信記録サーバ１は、会議ＩＤ及び参加者ＩＤを、参加者の各端末２、３及び４へ配信する。
（Ｓ３２）各端末２、３及び４は、最初に、音声通信記録サーバ１との間で時刻合わせを行う。尚、端末及び音声通信記録サーバ１のそれぞれが、インターネットにおけるＮＴＰ（Ｎｅｔｗｏｒｋ  Ｔｉｍｅ  Ｐｒｏｔｏｃｏｌ）サーバ又はＳＮＴＰ（Ｓｉｍｐｌｅ  Ｎｅｔｗｏｒｋ  Ｔｉｍｅ  Ｐｒｏｔｏｃｏｌ）サーバにアクセスして、内蔵時計を一致させるものであってもよい。
（Ｓ３３）端末２、３及び４は、インターネット５を介して会議を始める。この会議における音声情報は、各端末のマイクから取得され、映像情報は、各端末のビデオカメラによって取得される。会議ＩＤ及び参加者ＩＤが付与された音声情報及び映像情報は、音声通信記録サーバ１へ配信される。
（Ｓ３４）遠隔通信会議を終了する際に、ある端末が、会議終了登録メッセージを、音声通信記録サーバ１へ送信する。
（Ｓ３５）その後、ある参加者が、所望の「話題キーワード」に基づく会議録を必要とする場合がある。このとき、その参加者の操作によって、当該端末が、音声通信記録サーバ１へ、会議録要求メッセージを送信する。
尚、会議録要求メッセージを送信する端末は、必ずしも会議の参加者の端末（音声情報等を送信する端末）に限られない。
（Ｓ３６）音声通信記録サーバ１は、会議録要求メッセージに含まれる「キーワード」に基づいて、音声情報及び映像情報を組み合わせた、ＨＴＭＬ形式のＡＶ会議録を作成する。そして、その会議録を、会議録要求メッセージを送信した端末へ送信する。
【００５０】
図４は、本発明における音声通信記録サーバが、会議の音声情報及び映像情報を受信した際のフローチャートである。
【００５１】
図４によれば、以下のシーケンスで進行する。
（Ｓ４０）端末から、会議開始登録メッセージを受信する。
（Ｓ４１）会議開始登録メッセージに含まれる「会議名」及び「参加者名」等の情報に基づいて、「会議ＩＤ」及び「参加者ＩＤ」を決定し、これらＩＤを参加者の端末へ配信する。
（Ｓ４２）端末から、会議中の音声情報及び映像情報を受信する。
（Ｓ４３）その音声情報及び映像情報に、現在の時刻をスタンプする。これは、ストリーミング形式の場合に有効である。これに対し、ファイル形式の場合、端末において時刻がファイルにスタンプされていれば、ここで時刻をスタンプする必要はない。
（Ｓ４４）受信した音声・映像情報を、音声情報と映像情報とで区別する。
（Ｓ４５）音声情報は、音声情報データベース１０に、参加者毎に蓄積される。
（Ｓ４６）映像情報は、映像情報等データベース１１に、参加者毎に蓄積される。
（Ｓ４７）音声情報は、音声認識処理によって、テキスト情報に変換される。このとき、テキスト情報について会議の話題の進行位置を意味する特徴語を検索し、その特徴語に相当する話題キーワードを検索し、話題キーワードと共に進行位置をテキスト情報にマーク付けする。このとき、特徴語に対する類義語を予め蓄積した類義語データベース１８を用いる。これを用いて、その特徴語に対する類義語を検索し、その類義語に相当する話題キーワードを検索する。
（Ｓ４８）そのテキスト情報は、議事録情報データベース１５に、参加者毎に蓄積される。
【００５２】
図５は、本発明における音声通信記録サーバが、会議録要求メッセージを受信した際のフローチャートである。
【００５３】
図５によれば、以下のシーケンスで進行する。
（Ｓ５１）端末から、会議録要求メッセージを受信する。この会議録要求メッセージには、「話題キーワード」が含まれている。
（Ｓ５２）議事録情報データベース１５から、「話題キーワード」に基づくテキスト情報を検索する。
（Ｓ５３）検索されたテキスト情報の時刻情報を特定する。
（Ｓ５４）特定された時刻情報に相当する音声情報及び映像情報を、音声情報データベース１０及び映像情報等データベース１１から取得する。
（Ｓ５５）取得された音声情報及び映像情報からなる会議録を生成する。ここで、会議録は、ＨＴＭＬ形式のものである。これにより、マルチメディア会議録を提供することができる。
（Ｓ５６）生成された会議録を、会議録要求メッセージを送信した端末へ、送信する。
【００５４】
本発明の音声通信記録再生方法における各過程は、計算機に内蔵された記録媒体を用い、ＣＰＵ等の制御手段を用いて実行可能である。また、計算機読み取り可能なプログラムをＣＤ等の記録媒体若しくは通信回線を介してインストールして当該計算機に実行させることもできる。これらプログラムは、主に、インターネットにおけるサーバの一機能として、サーバに搭載されるプログラムによって実現されてもよい。もちろん、これら機能は、端末に搭載されるプログラムによっても実現され、Ｐｅｅｒ−ｔｏ−Ｐｅｅｒ型で利用することもできる。
【００５５】
【発明の効果】
以上、詳細に説明したように、本発明の音声通信記録生成方法、装置及びプログラムによれば、会議録を提供するに際し、会議録を必要とする者の所望する条件（話題キーワード又は発話者等）によって要点がまとめられた会議録を提供することができる。特に、インターネットを利用した遠隔通信会議において、本発明における議事録の作成は、既存のサービスに付加価値を加えることになる。
【００５６】
これにより、会議終了後、聞き直したい特定発話者の発言（例えば社長の発言等）、遅刻したために聞き逃した会議の頭部の討議内容、又は、会議の総括として各議題のまとめ部分のみのレビュー等を取得することができる。特に、会議の全容を取得する必要なく、所望の条件に応じた必要箇所のみのコンパクトな会議録を取得することができる。
【図面の簡単な説明】
【図１】本発明におけるシステム構成図である。
【図２】本発明における音声通信記録サーバの機能構成図である。
【図３】本発明による音声通信記録サーバと端末との間のシーケンス図である。
【図４】本発明における音声通信記録サーバが、会議の音声情報及び映像情報を受信した際のフローチャートである。
【図５】本発明における音声通信記録サーバが、会議録要求メッセージを受信した際のフローチャートである。
【符号の説明】
１  音声通信記録サーバ、音声通信記録装置
１０  音声情報データベース、音声蓄積手段
１１  映像情報等データベース
１２  タイムスタンプ部
１３  会議ＩＤ決定部
１４  音声認識処理部
１５  議事録情報データベース、記憶手段
１６  要件検索部
１７  会議録生成部
１８  類義語データベース、類義語蓄積手段
１９  通信インタフェース部
２、３、４  端末
２１、３１、４１  マイク
２２、３２、４２  ビデオカメラ
５  インターネット
【図１】
2004279897.tif 000003
【図２】
2004279897.tif 000004
【図３】
2004279897.tif 000005
【図４】
2004279897.tif 000006
【図５】
2004279897.tif 000007